(57)【特許請求の範囲】
【請求項１】
切刃部（11）を板状の基台（12）の先端に設け、該基台（12）の後端に押え突起部（13）を設けると共に前記基台（12）の上面中間に凸部（14）を設け、且つ、その凸部（14）の両端部に軸部（15）を設けて構成した刃部材（１）と、前部に前記刃部材（１）を軸支する刃部材収納ケース（２）と、ロールペーパーをワンタッチで装着可能なホルダー本体（３）と、から構成され、前記刃部材収納ケース（２）の後部を前記ホルダー本体（３）に軸支させると共に前記ホルダー本体（３）の上面に載置され、且つ、刃部材収納ケース（２）の側面の一方に、前方から後方下部に向かって湾曲する切欠部（24a）が形成され、更に、前記刃部材収納ケース（２）が、板状の上カバー（21）と、該上カバー（21）の前部下方に配置した支持板（22）と、前記上カバー（21）の一方の側面に配置した側板（23）と、他方の側面に前記切欠部（24a）を有した側板（24）と、前記上カバー（21）の後方両側の下方へ延出させると共に下部に軸部（25a）を有した連結杆（25）と、から少なくとも構成されたことを特徴とするロールペーパーホルダー。
【請求項２】
前記刃部材収納ケース（２）の上カバー（21）の下面の中間に、前記刃部材（１）の押え突起部（13）が係合するための受部（26）を設けた請求項１記載のロールペーパーホルダー。
【請求項３】
前記刃部材収納ケース（２）が、上段部（21a）を有した板状の上カバー（21）と、該上カバー（21）の前部下方に配置した支持板（22）と、前記上カバー（21）の一方の側面に配置した側板（23）と、他方の側面の後部に突起片状に形成した側板（24）と、前記上カバー（21）の後方両側の下方へ延出させると共に下部に軸部（25a）を有した連結杆（25）と、から少なくとも構成され、且つ、前記支持板（22）の一端に固着させた前記側板（23）と、前記支持板（22）の他端部にロールペーパー用のガイド部（221）を設ける共に該ガイド部（221）と前記側板（23）に穴（23a）,（221a）を穿設し、且つ、その穴（23a）,（221a）から前記軸部（15）に取付ける頭付きピン（17）を設けた請求項１記載のロールペーパーホルダー。
【請求項４】
前記刃部材（１）の上段部（21a）の幅を下段よりも小さくし、その上段部（21a）が中央部に設けられ、且つ、前記刃部材（１）と前記基台（12）の両側から指を入れてロールペーパーの先端を摘み易くなる逃げ部（12b）が形成された請求項３記載のロールペーパーホルダー。
【発明の詳細な説明】
【技術分野】
【０００１】
本発明はロールペーパーの装着や切断する際、トイレットペーパーホルダーに触れずにそれらの操作が行えると共にロールペーパーの先端を見つけ易くして引き出すことが簡単に行えるロールペーパーホルダーに関する。
【背景技術】
【０００２】
一般にロールペーパーホルダーに装着したロールペーパーが任意の長さに切断された後、次にロールペーパーを使用する場合、ロールペーパーが切断された先端は蓋体の下に隠れているため、ロール側を手で回転させてロールペーパーの先端を少し出し、その先端を見つけて引き出すことが多く行われている。しかしながら、ロールペーパーを切刃部で切断する際に、蓋体によってロールペーパーの上方からロール側に対して押圧力が加わるため、そのロールペーパーの先端はロール側に密着した状態になり易くなり、その状態でロール側を手で回転させてもその先端は共回りし、且つロールペーパーの先端が目視では判別しにくくなる。この結果、ロール側を手で勢い良く数回転させないと、ロールペーパーの先端がロール側から剥離しにくくなり、ロールペーパーの引き出しが出来ないことも生じていた。特にロールペーパーが１枚巻きの薄い場合の引き出しは、その先端がロール側に貼付いて指先で摘んでスムーズに引き出すことが出来ないことも多くあった。
尚、この時、次に使用する人のために、ロールペーパーの先端部を三角形状に折り畳んで蓋体から突出させて見つけ易いように配慮した場合も多々見受けられる。しかし、接触を嫌う昨今では、この行為は間接接触になるので、敬遠されているのが現状である。
【０００３】
このため、ロールペーパーの先端が簡単に引き出されて誰にでも指先で摘むことが出来るものとして、特開２００６−１４１９２１などが提案されている。この構造は、ロールペーパー用のトイレットペーパーホルダーの蓋体に横長な貫通穴を設け、ロールペーパーの先端を貫通穴から蓋体の表面に出し、蓋体先端の切刃部によって切断するものであった。
【０００４】
しかしながら、特開２００６−１４１９２１号は、ロールペーパーの先端を指先で摘んで引き出すと、ロールペーパーが貫通穴に引掛り易く、且つ、引き出す際の抵抗が大きいため、スムーズに引き出しが行えず、実用化されていないのが現状である。
このため、ロールペーパーを装着する際やロールペーパーを切断する際に、トイレットペーパーホルダーに触れずにそれらの操作が行えるロールペーパーホルダーの開発が要望されていた。
【先行技術文献】
【特許文献】
【０００５】
【特許文献１】特開２００６−１４１９２１号公報
【発明の概要】
【発明が解決しようとする課題】
【０００６】
本発明はロールペーパーを装着や切断する際に、トイレットペーパーホルダーに触れずにそれらの操作が行えると共にロールペーパーの切断が確実にでき、且つ、ロールペーパーの先端を見つけ易くして引き出すことが簡単に行えるロールペーパーホルダーを提供することを目的とする。
【課題を解決するための手段】
【０００７】
本発明は上記現状に鑑みて成されたものであり、つまり、切刃部を板状の基台の先端に設け、該基台の後端に押え突起部を設けると共に基台の上面中間に凸部を設け、且つ、その凸部の両端部に軸部を設けて構成した刃部材と、前部に刃部材を軸支する刃部材収納ケースと、ロールペーパーをワンタッチで装着可能なホルダー本体と、から構成され、刃部材収納ケースの後部をホルダー本体に軸支させると共にホルダー本体の上面に載置され、且つ、刃部材収納ケースの側面の一方に、前方から後方下部に向かって湾曲する切欠部が形成される構成とする。
【０００８】
また前記刃部材収納ケースが、板状の上カバーと、該上カバーの前部下方に配置した支持板と、上カバーの一方の側面に配置した側板と、他方の側面に切欠部を有した側板と、上カバーの後方両側の下方へ延出させると共に下部に軸部を有した連結杆と、から少なくとも構成されるのが好ましく、前記刃部材収納ケースの上カバーの下面の中間に、刃部材の押え突片部が係合するための受部を設けると良い。
【０００９】
又、別実施形態として刃部材収納ケースが、上段部を有した板状の上カバーと、該上カバーの前部下方に配置した支持板と、上カバーの一方の側面に配置した側板と、他方の側面の後部に突起片状に形成した側板と、上カバーの後方両側の下方へ延出させると共に下部に軸部を有した連結杆と、から少なくとも構成され、且つ、支持板の一端に固着させた側板と、支持板の他端部にロールペーパー用のガイド部を設ける共に、該ガイド部と側板に穴を穿設し、且つ、その穴から軸部に取付ける頭付きピンを設けたものとしても良い。更に刃部材に一端を固着させると共に他端を刃部材収納ケースに配置した板バネが備えられたものとするのが好ましく、しかも、上カバーの上段部の幅が下段よりも小さく、その上段部が中央部に設けられ、且つ、刃部材と基台の両側から指を入れてロールペーパーの先端を摘み易くなる逃げ部が形成されたものとするのが好ましい。
【発明の効果】
【００１０】
請求項１のように切刃部（11）を板状の基台（12）の先端に設け、該基台（12）の後端に押え突起部（13）を設けると共に基台（12）の上面中間に凸部（14）を設け、且つ、その凸部（14）の両端部に軸部（15）を設けて構成した刃部材（１）と、前部に刃部材（１）を軸支する刃部材収納ケース（２）と、ロールペーパーをワンタッチで装着可能なホルダー本体（３）と、から構成され、刃部材収納ケース（２）の後部をホルダー本体（３）に軸支させると共にホルダー本体（３）の上面に載置され、且つ、刃部材収納ケース（２）の側面の一方に、前方から後方下部に向かって湾曲する切欠部（24a）が形成されることにより、ロールペーパーを装着や切断する際に、トイレットペーパーホルダーに触れずにそれらの操作が行えると共にロールペーパーの切断が片手で確実にでき、且つ、ロールペーパーの先端を見つけ易くして引き出すことが簡単に行える。特に昨今問題になっている新型コロナウイルスの感染が、トイレ使用時に感染し易いと懸念されているが、本発明品を用いれば、トイレットペーパーホルダーに対して非接触であるので、新型コロナウイルスの感染防止が可能となる。
【００１１】
請求項２のように刃部材収納ケース（２）が、板状の上カバー（21）と、該上カバー（21）の前部下方に配置した支持板（22）と、上カバー（21）の一方の側面に配置した側板（23）と、他方の側面に切欠部（24a）を有した側板（24）と、上カバー（21）の後方両側の下方へ延出させると共に下部に軸部（25a）を有した連結杆（25）と、から少なくとも構成されることにより、ロールペーパーを装着や切断する際に、トイレットペーパーホルダーに触れずにそれらの操作が容易に行えるものとなる。
【００１２】
請求項３に示すように刃部材収納ケース（２）の上カバー（21）の下面の中間に、刃部材（１）の押え突起部（13）が係合するための受部（26）を設けることにより、ロールペーパーが確実に固定された状態で切断できるので、片手でもより確実に切断できる。
【００１３】
請求項４に示すように刃部材収納ケース（２）が、上段部（21a）を有した板状の上カバー（21）と、該上カバー（21）の前部下方に配置した支持板（22）と、上カバー（21）の一方の側面に配置した側板（23）と、他方の側面の後部に突起片状に形成した側板（24）と、上カバー（21）の後方両側の下方へ延出させると共に下部に軸部（25a）を有した連結杆（25）と、から少なくとも構成され、且つ、支持板（22）の一端に固着させた側板（23）と、支持板（22）の他端部にロールペーパー用のガイド部（221）を設ける共に、該ガイド部（221）と側板（23）に穴（221a），（23a）を穿設し、且つ、その穴（221a），（23a）から軸部（15）の挿入穴（15a）に取付ける頭付きピン（17）を設けることにより、請求項２と同様な効果が得られると共に、ロールペーパーの装着がよりスムーズに行え、ロールペーパーを引き出すことがより容易になる。
【００１４】
請求項５のように刃部材（１）に一端を固着させると共に他端を刃部材収納ケース（２）に配置した板バネ（16）が備えられることにより、押え突起部（13）によるロールペーパーの押えが自動的に解除され、切刃部（11）が常時略水平状態となる。このため、ロールペーパーの引き出しが容易である。
【００１５】
請求項６のように刃部材（１）の上段部（21a）の幅が下段よりも小さく、その上段部（21a）が中央部に設けられ、且つ、刃部材（１）と基台（12）の両側から指を入れてロールペーパーの先端を摘み易くなる逃げ部（12b）が形成されることにより、ロールペーパーの引き出しがより一層容易なものとなる。
【図面の簡単な説明】
【００１６】
【図１】本発明の実施形態を示す斜視図である。
【図２】本実施形態の分解部品を示す斜視図である。
【図３】本発明品のロールペーパーの装着方法を示す説明図である。
【図４】本発明品のロールペーパーの切断方法を示す説明図である。
【図５】本発明の別実施形態を示す斜視図である。
【図６】別実施形態の分解部品を示す斜視図である。
【発明を実施するための形態】
【００１７】
本発明の実施形態を図１、図２に基づき説明する。（１）は切刃部（11）を板状の基台（12）の先端に設け、該基台（12）の後端に押え突起部（13）を設けると共に基台（12）の上面中間に凸部（14）を設け、且つ、その凸部（14）の両端部に軸部（15）を設けて構成した合成樹脂製の刃部材であり、該刃部材（１）の押え突起部（13）は少なくとも上方に突出されている。又、前記切刃部（11）の材料として特に軟質な合成樹脂、例えば、ウレタン樹脂やゴム状のものを用いると、切断面がきれいで且つより確実な切断ができる。尚、前記軸部（15）の両端部は丸棒状の軸が突出しており、その位置としては、刃部材（１）の重心が軸部（15）より後方になるように決定するのが好ましい。
【００１８】
（２）は刃部材（１）の軸部（15）を側板（23）,（24）の前部で軸支させる合成樹脂製の刃部材収納ケースであり、該刃部材収納ケース（２）には、板状の上カバー（21）と、該上カバー（21）の前部下方に配置した短冊状の支持板（22）と、上カバー（21）の左側の側面に配置した側板（23）と、右側の側面に切欠部（24a）を有した側板（24）と、前記上カバー（21）の後方両側の下方へ延出させると共に下部に軸部（25a）を有した一対の連結杆（25）と、が少なくともある。また前記上カバー（21）の下面の中間には、押え突起部（13）を係合させるための受部（26）が設けられている。前記側板（24）に形成した切欠部（24a）は前方から後部下方に向かって湾曲している。又、前記側板（23）,（24）の前部には軸部（15）が挿入される穴（23a）,（24b）が穿設されている。尚、前記切欠部（24a）を側板（23）の方だけ形成させ、左手専用としても良い。
【００１９】
（３）はロールペーパーをワンタッチで装着可能なホルダー本体であり、該ホルダー本体（３）には、支持する上下又は前後に可動可能な一対のロール支え突片（31）と、刃部材収納ケース（２）の連結杆（25）の下部を軸支させる一対の軸受部（32）とがある。またホルダー本体（３）の上面は、刃部材収納ケース（２）の側板（23）,（24）の下部が載置される。
【００２０】
図５、図６は別実施形態を示す図であり、これは前記実施形態と比べ、刃部材（１）と刃部材収納ケース（２）の構成は同じであるが、細部が異なる。つまり、刃部材（１）の切刃部（11）は、基台（12）の先端に複数の突出片（12a）を介して設けられている。この時、切刃部（11）と基台（12）の間の両側には、指が入り易いように逃げ部（12b）が設けられている。また前記基台（12）の後端には押え突起部（13）が設けられていると共に基台（12）の上面中間に凸部（14）を設け、且つ、その凸部（14）の両端部に軸部（15）が設けられている。その軸部（15）の中心には挿入穴（15a）が穿設されていると共に、該挿入穴（15a）に挿入して軸の役目を果たす頭付きピン（17）が備えられている。又、一端を基台（12）に固定すると共に他端を上カバー（21）の下面に当接するように板バネ（16）が備えられている。
尚、ホルダー本体（３）は、ロールペーパーをワンタッチで装着可能なものであれば良い。
【００２１】
前記刃部材収納ケース（２）の上カバー（21）は、前部が一段高い上段部（21a）を形成し、該上段部（21a）の幅は下段よりも小さく形成されると共に上段部（21a）は、図５、図６に示すように下段部の中央部で一体に形成されている。また支持板（22）の右端には、ロールペーパーをセットし易くするガイド部（221）を設けると共に頭付きピン（17）を挿入する穴（221a）がガイド部（221）に穿設されている。又、側板（24）は突起片状に形成されている。他は前記実施形態の刃部材収納ケース（２）と同じである。
【００２２】
次に本発明品にロールペーパーを非接触で装着する方法を図３に基づいて説明する。予め刃部材（１）の軸部（15）を穴（23a），（24b）に挿入して刃部材収納ケース（２）に取付け、且つ、ホルダー本体（３）に刃部材収納ケース（２）の連結杆（25）を取付けておく。先ず、ロールペーパーをホルダー本体（３）の内部へ押し入れると、ワンタッチでロール支え突片（31）がロールペーパーの芯の内部に入れられ、ロールペーパーを支持する。次にロールペーパーの先端を（イ）のように引き出して持ち上げ、その先端部をホルダー本体（３）の外側、つまり、右側に引き出して右側の側板（24）の切欠部（24a）の後部下方、（ロ）の位置から挿入する。そしてロールペーパーの幅全体を刃部材（１）の上方へ配置すると共に、（ハ）の位置にある切刃部（11）の前までロールペーパーの先端部を引き出しておく。この結果、ロールペーパーの取付け及びそのセットがトイレットペーパーホルダーと非接触の状態で装着を簡単に行うことができる。この時、片手で装着作業を行うことが可能となる。
尚、この状態で使用するまで待ち、使用する際は、ロールペーパーの先端部を使用長さ分だけ引き出せば良い。
【００２３】
次にロールペーパーの先端が切断される時の刃部材（１）の作用を図４に基づいて説明する。先ず始めにロールペーパーの先端部を使用長さ分引き出して下方へ押し、切刃部（11）で切断する。この時の切断状態を詳細に説明すると、ロールペーパーの先端部を下方に押す。すると、刃部材（１）は軸部（15）を支点として、（ａ）の状態から（ｂ）になって後方が持ち上げられると共に押え突起部（13）が受部（26）に係合されるため、ロールペーパーは押え突起部（13）と受部（26）で挟まれて固定する。従って、ロールペーパーの先端が切刃部（11）で確実に切断される。尚、別実施形態の場合には押え突起部（13）と上カバー（21）の裏面とでロールペーパーを挟み込んで固定させる。
【００２４】
ロールペーパーが切断された後、押え突起部（13）と受部（26）が解放されるので、ロールペーパーの切断された先端部は（ｃ）のように凸部（14）の上に載せられ、従来の如きその先端が平らな面に密着せず、ふんわりと載せられるので、その先端が誰にでも直ぐに見つけ出すことができると共にロールペーパーの先端部が指で容易に摘まめ、使用長さ分を引き出すことが容易にできる。
【００２５】
尚、本発明は、トイレット用のロールペーパーだけでなく、他の用途のロールペーパーの装着や切断が、上記同様に非接触で行える。
【符号の説明】
【００２６】
１  刃部材
11  切刃部
12  基台
12a  突出片
12b  逃げ部
13  押え突起部
14  凸部
15  軸部
16  板バネ
17  頭付きピン
２  刃部材収納ケース
21  上カバー
21a  上段部
22  支持板
221  ガイド部
221a  穴
23  側板
23a  穴
24  側板
24a  切欠部
25  連結杆
25a  軸部
26  受部
３  ホルダー本体
【要約】
【課題】本発明はロールペーパーを装着や切断する際に、トイレットペーパーホルダーに触れずにそれらの操作が行えると共にロールペーパーの切断が確実にでき、且つ、ロールペーパーの先端を見つけ易くして引き出すことが簡単に行えるロールペーパーホルダーを提供することを目的とする。
【解決手段】切刃部11を板状の基台12の先端に設け、該基台12の後端に押え突起部13を設けると共に基台12の上面中間に凸部14を設け、且つ、その凸部14の両端部に軸部15を設けて構成した刃部材１と、前部に刃部材１を軸支する刃部材収納ケース２と、ロールペーパーをワンタッチで装着可能なホルダー本体３と、から構成され、刃部材収納ケース２の後部をホルダー本体３に軸支させると共にホルダー本体３の上面に載置され、且つ、刃部材収納ケース２の側面の一方に、前方から後方下部に向かって湾曲する切欠部24aが形成される構成とする。
【選択図】図１【図１】
0006916505.tif 000002
【図２】
0006916505.tif 000003
【図３】
0006916505.tif 000004
【図４】
0006916505.tif 000005
【図５】
0006916505.tif 000006
【図６】
0006916505.tif 000007